(57)【要約】【課題】複数のユーザーの共用無線機１１において、現在のユーザーではない他の共用ユーザー宛の文字メッセージの処理を合理化する。【解決手段】ユーザーＩＤテーブル３４は共用ユーザーを記憶する。ユーザーＩＤ切り替え手段３３は、現在のユーザーのＩＤをユーザーＩＤ記憶手段３２に記憶する。不在着信メッセージ制御手段３８は、無線部２４に文字メッセージが着信すると、該着信メッセージの宛先が現在のユーザーではないものの、共用ユーザーの一人であるならば、該着信メッセージをメッセージ記憶テーブル４１に不在者宛メッセージとして記憶する。現在のユーザーが替わると、替わった後のユーザーを宛先とする不在者宛メッセージかメッセージ記憶テーブル４１にあるかを調べ、該当する不在者宛メッセージをメッセージ記憶手段３９へ転送する。現在のユーザーはメッセージ記憶手段３９内のメッセージを適宜、表示手段２６に表示することができる。【選択図】図３
2008277942.tif 000002
【特許請求の範囲】
【請求項１】
自機を共用する複数のユーザーを共用ユーザーとして記憶する共用ユーザー情報記憶媒体、
自機の現在のユーザーを認識する認識手段、
着信メッセージの宛先が自機の共用ユーザーに含まれるが、自機の現在のユーザーではない場合には該着信メッセージを不在者宛メッセージとして不在者宛メッセージ記憶媒体に記憶する着信処理手段、及び
自機の現在のユーザーが前記不在者宛メッセージの宛先に替わると該ユーザーが該不在者宛メッセージの内容を知得できるようにする処理を実施する知得処理手段、
を備えることを特徴とする無線機。
【請求項２】
自機を共用する複数のユーザーを共用ユーザーとして記憶する共用ユーザー情報記憶媒体、
自機の現在のユーザーを認識する認識手段、
送信メッセージの宛先が自機の共用ユーザーに含まれるが、自機の現在のユーザーではない場合には、該送信メッセージを不在者宛メッセージとして不在者宛メッセージ記憶媒体に記憶する送信処理手段、及び
自機の現在のユーザーが前記不在者宛メッセージの宛先に替わると該ユーザーが該不在者宛メッセージの内容を知得できるようにする処理を実施する知得処理手段、
を備えることを特徴とする無線機。
【請求項３】
前記知得処理手段が知得処理した不在者宛メッセージについて処理済みの旨を他機へ連絡する連絡手段、
を備えることを特徴とする請求項１又は２記載のいずれかに記載の無線機。
【請求項４】
他機より不在者宛メッセージの知得処理済みの旨の連絡を受けると、該当の不在者宛メッセージを前記不在者宛メッセージ記憶媒体から削除する不在者宛メッセージ削除手段、
を備えることを特徴とする請求項３記載の無線機。
【請求項５】
前記不在者宛メッセージは、その宛先となっていない共用ユーザーがアクセスできないように、前記不在者宛メッセージ記憶媒体に記憶されることを特徴とする請求項１〜４のいずれかに記載の無線機。
【請求項６】
前記メッセージは、文字メッセージ及び／又は音声メッセージであることを特徴とする請求項１〜５のいずれかに記載の無線機。
【請求項７】
自機の現在のユーザーを認識するステップ、
着信メッセージの宛先が自機の共用ユーザーに含まれるが、自機の現在のユーザーではない場合には該着信メッセージを不在者宛メッセージとして不在者宛メッセージ記憶媒体に記憶するステップ、及び
自機の現在のユーザーが前記不在者宛メッセージの宛先に替わると該ユーザーが該不在者宛メッセージの内容を知得できるようにする処理を実施するステップ、
を備えることを特徴とする無線機制御方法。
【請求項８】
自機の現在のユーザーを認識するステップ、
送信メッセージの宛先が自機の共用ユーザーに含まれるが、自機の現在のユーザーではない場合には、該送信メッセージを不在者宛メッセージとして不在者宛メッセージ記憶媒体に記憶するステップ、及び
自機の現在のユーザーが前記不在者宛メッセージの宛先に替わると該ユーザーが該不在者宛メッセージの内容を知得できるようにする処理を実施するステップ、
を備えることを特徴とする無線機制御方法。
【発明の詳細な説明】
【技術分野】
【０００１】
本発明は、複数のユーザーにより共用される無線機及び制御方法に関する。
【背景技術】
【０００２】
特許文献１は、複数のユーザーが共用する携帯電話機を開示する。該共用携帯電話機では、ユーザーごとに、専用の個人データ記憶部を設定し（特許文献１の図１の符号１０）、各ユーザーは、パスワードの入力を済ませてから、該個人データ記憶部に個人データを記憶できるようにしている（特許文献１の段落００２０）。そして、該共用携帯電話機からの発呼では、現在のユーザーのＰＳＩＤが発信されて、ユーザー別の料金管理を可能にしている（特許文献１の段落００２４）。また、該共用携帯電話機における着信では、現在のユーザー以外の共用ユーザー宛の着信を拒否している（特許文献１の段落００２５）。
【０００３】
特許文献２は、各ユーザー別にアドレス帳を装備する共用携帯電話機を開示する。該共用携帯電話機では、各ユーザーごとにパスワード情報領域及び電話帳情報領域がＲＯＭ内に設定され（特許文献２の図２〜図４）、各ユーザーは、自分の電話帳を他のユーザーへ知得されることなく管理できるようになっている（特許文献２の段落００１８）。
【特許文献１】特開平１０−５１３４９号公報
【特許文献２】特開２００２−１１１８４５号公報
【発明の開示】
【発明が解決しようとする課題】
【０００４】
業務用の共用無線機では、各ユーザー（作業者）は、使用日に関係なく、同一の無線機を使用するというように、使用無線機を固定されず、例えば出社順に、空いている無線機の中から任意のものを使用するというような使われ方がなされることがある。また、定期又は臨時の休暇や早退等のために、連絡したい個々の作業者又は連絡したいグループの一部の作業者が、連絡したい時に、不在のため、連絡できないことが起こる。
【０００５】
特許文献１は、各ユーザーが、使用する共用携帯電話機を固定されず、複数の共用携帯電話機の中から任意の１つを使用する使われ方における所定のユーザーへのメッセージの配信については、一切言及していない。また、特許文献１の共用電話機は、該共用電話機を使用していない他のユーザー宛の着信は拒否するようになっている（特許文献１の段落００２５）。したがって、特許文献１の共用電話機について前述の使われ方が行われる状況下では、連絡者は、現在、不在となっている被連絡者へ連絡する場合には、別の日時にやり直すか、該共用電話機の現在のユーザーに伝言してもらうかするしかない。
【０００６】
特許文献２に開示する電話帳は、送信側、すなわち連絡者側の共用携帯電話機に適用されるものであり、被連絡者側の不在に対処するようなものとなっていない。
【０００７】
本発明の目的は、無線機の共用環境において、不在の被連絡者への連絡を支障なくかつ効率的に行うことができる無線機及び制御方法を提供することである。
【課題を解決するための手段】
【０００８】
本発明によれば、無線機は、その共用ユーザーを把握している。そして、音声メッセージ及び／又は文字メッセージの着信があった場合に、該着信メッセージの宛先が、共用ユーザーの一人であるが、該無線機の現在のユーザーではない場合には、該着信メッセージを不在者宛メッセージとして保管する。無線機は、その現在のユーザーが保管中の不在者宛メッセージの宛先となると、該ユーザーが該不在者宛メッセージの内容を知得できるようにする。本発明の無線機は携帯電話機であってもよいとする。
【０００９】
本発明の無線機は次のものを備えている。
自機を共用する複数のユーザーを共用ユーザーとして記憶する共用ユーザー情報記憶媒体、
自機の現在のユーザーを認識する認識手段、
着信メッセージの宛先が自機の共用ユーザーに含まれるが、自機の現在のユーザーではない場合には該着信メッセージを不在者宛メッセージとして不在者宛メッセージ記憶媒体に記憶する着信処理手段、及び
自機の現在のユーザーが前記不在者宛メッセージの宛先に替わると該ユーザーが該不在者宛メッセージの内容を知得できるようにする処理を実施する知得処理手段。
【００１０】
本発明の別の無線機は次のものを備えている。
自機を共用する複数のユーザーを共用ユーザーとして記憶する共用ユーザー情報記憶媒体、
自機の現在のユーザーを認識する認識手段、
送信メッセージの宛先が自機の共用ユーザーに含まれるが、自機の現在のユーザーではない場合には、該送信メッセージを不在者宛メッセージとして不在者宛メッセージ記憶媒体に記憶する送信処理手段、及び
自機の現在のユーザーが前記不在者宛メッセージの宛先に替わると該ユーザーが該不在者宛メッセージの内容を知得できるようにする処理を実施する知得処理手段。
【００１１】
本発明の無線機制御方法は次のステップを備えている。
自機の現在のユーザーを認識するステップ、
着信メッセージの宛先が自機の共用ユーザーに含まれるが、自機の現在のユーザーではない場合には該着信メッセージを不在者宛メッセージとして不在者宛メッセージ記憶媒体に記憶するステップ、及び
自機の現在のユーザーが前記不在者宛メッセージの宛先に替わると該ユーザーが該不在者宛メッセージの内容を知得できるようにする処理を実施するステップ。
【００１２】
本発明の別の無線機制御方法は次のステップを備えている。
自機の現在のユーザーを認識するステップ、
送信メッセージの宛先が自機の共用ユーザーに含まれるが、自機の現在のユーザーではない場合には、該送信メッセージを不在者宛メッセージとして不在者宛メッセージ記憶媒体に記憶するステップ、及び
自機の現在のユーザーが前記不在者宛メッセージの宛先に替わると該ユーザーが該不在者宛メッセージの内容を知得できるようにする処理を実施するステップ。
【発明の効果】
【００１３】
本発明によれば、無線機の各共用ユーザーは、不在であったり、該無線機を他の共用ユーザーに使用されたりしている期間に、該無線機に着信したメッセージを後日に見たり（文字メッセージの場合）、及び／又は聞いたり（音声メッセージの場合）することができる。
【発明を実施するための最良の形態】
【００１４】
図１は無線通信システム１０の構成図である。無線通信システム１０は複数の無線機１１を備えている。無線機１１は、ユーザーに携帯される。なお、説明の便宜上、図１では、無線機１１は番号１〜４の計４個としている。各無線機１１は、音声メッセージ（通話）だけでなく、文字メッセージ（電子メール）としてのＳＤＭ（ショート・データ・メッセージ：Short Data Message）の通信を可能にしている。
【００１５】
各無線機１１は、音声メッセージ及び文字メッセージの通信において、個別／グループ別／一斉の呼び出しの通信に対応している。個別通信では、送信側無線機１１は所定の１つの受信側無線機１１へメッセージを送信する。グループ別の通信では、送信側無線機１１は受信側無線機としての所定のグループの全部の無線機１１へ同一のメッセージを一度に送信する。一斉通信では、送信側無線機１１は受信側無線機としての他の全部の無線機１１へ同一のメッセージを一度に送信する。
【００１６】
図２は曜日ごとの各無線機のユーザーの使用結果を例示している。各無線機は、複数のユーザーに共用される。なお、各曜日の４人のユーザーは、４個の無線機の内のどれか１つを使用すればよいことになっており、図２の表に示す番号の無線機に使用無線機を固定されない。
【００１７】
例えば、従業員Ｂは、木曜日及び金曜日には２番の無線機１１を使用し、土曜日及び日曜日には４番の無線機１１を使用したことになっているが、図２はあくまで使用結果を示しており、従業員Ｂは、木曜日及び金曜日に２番の無線機１１以外の無線機を使用したり、土曜日及び日曜日には４番の無線機１１以外の無線機を使用したりすることもある。
【００１８】
図３は無線機１１の構成図である。なお、ユーザーＩＤ書換え手段４５は、無線機１１とは別の装置であり、例えばパーソナルコンピュータから成り、無線機１１へケーブルで適宜接続されるようになっている。また、図３〜図８において「メッセージ」とは「文字メッセージ」を指すものとする。
【００１９】
無線機１１は、アンテナ２１、スピーカ２２、マイクロホン２３、無線部２４、制御部２５、表示手段２６及び操作入力手段２７を備えている。無線機１１は、さらに、自局宛メッセージ制御手段３１、ユーザーＩＤ記憶手段３２、ユーザーＩＤ切り替え手段３３、ユーザーＩＤテーブル３４、不在着信メッセージ制御手段３８、メッセージ記憶手段３９、メッセージ記憶切り替え手段４０及びメッセージ記憶テーブル４１を備えている。制御部２５は、具体的にはＣＰＵからなる。自局宛メッセージ制御手段３１、ユーザーＩＤ切り替え手段３３、不在着信メッセージ制御手段３８及びメッセージ記憶切り替え手段４０は、具体的には、ＣＰＵで実行されるプログラムにより実現される。ユーザーＩＤ記憶手段３２及びメッセージ記憶手段３９は、別々の又は同一の不揮発メモリから構成される。
【００２０】
アンテナ２１は、捕捉した電波をＲＦ信号へ変換して、無線部２４へ送る。無線部２４は、所定周波数のＲＦ信号を抽出し、それを復調して、音声信号を生成する。該音声信号は、スピーカ２２へ送られて、音声へ変換される。
【００２１】
マイクロホン２３は、無線機１１のユーザーの声を音声信号へ変換して、それを無線部２４へ出力する。無線部２４は、該音声信号を所定周波数のＲＦ信号へ変換して、アンテナ２１から電波で出力する。
【００２２】
表示手段２６及び操作入力手段２７は無線機１１のハウジング（図示せず）の前面に配備される。表示手段２６は、ＬＣＤ等から成り、制御部２５からの画像信号に基づく画像を表示する。操作入力手段２７は、複数のキーを装備し、ユーザーにより操作され、この操作信号は制御部２５へ送られる。
【００２３】
ユーザーＩＤ書換え手段４５は、無線機１１との接続時に、ユーザーＩＤテーブル３４を編集自在にしている。ユーザーＩＤテーブル３４には、前述の図２に記載されている全ユーザーのＩＤが登録されている。前述したように、図２のテーブルは、各無線機について使用結果としてのユーザーを示しているものであり、各曜日において各ユーザーは、使用する無線機を固定されるものではない。したがって、例えば、１番の無線機１１のユーザーＩＤテーブル３４に共用ユーザーとして登録されるユーザーは、リーダーＡ，Ｂ，Ｃだけでなく、従業員Ａ〜Ｆも登録される。２〜４番の無線機１１も同様である。
【００２４】
各ユーザーは、無線機１１の使用開始時に、操作入力手段２７からユーザーＩＤ（例：ユーザー名や従業員番号等）及びパスワードを入力する。制御部２５は、ユーザーＩＤテーブル３４を参照して、該ユーザーを認証するか否かを判定し、認証した場合には、認証したユーザーのＩＤをユーザーＩＤ記憶手段３２に記憶する。ユーザーＩＤ記憶手段３２に記憶されているユーザーＩＤは、自局宛メッセージ制御手段３１は無線機１１の現在のユーザーとして判断する。
【００２５】
自局宛メッセージ制御手段３１は、無線部２４が文字メッセージを受信すると、該文字メッセージが自局宛、すなわち無線機１１の現在のユーザー宛であるか否かを判断し、現在のユーザー宛であると判断した場合には、該文字メッセージをメッセージ記憶手段３９に記憶する。また、制御部２５は、自局宛メッセージ制御手段３１の判断を受けて、文字メッセージの着信音をスピーカ２２から流したり、表示手段２６に着信の旨を表示したりする。無線機１１のユーザーは、適宜、メッセージ記憶手段３９内の文字メッセージを呼び出して、表示手段２６に表示して、それを読むことができるようになっている。
【００２６】
不在着信メッセージ制御手段３８は、着信文字メッセージが、該無線機１１の現在のユーザーでないが、ユーザーＩＤテーブル３４にＩＤが登録されているユーザーであると判断した場合に、該文字メッセージをメッセージ記憶テーブル４１に格納する。不在着信メッセージ制御手段３８の作動は、バックグランドで実施され、無線機１１の現在のユーザーには知られることはない。
【００２７】
図４はメッセージ記憶テーブル４１における各文字メッセージのデータ構造を示している。メッセージ記憶テーブル４１の各レコード（行）は５つのフィールドに区分される。文字メッセージの内容は、５番のフィールドに格納される。４番のフィールドのメッセージ番号は文字メッセージのＩＤを意味する。１番のフィールドのメッセージのステータスは、メッセージ記憶テーブル４１へのデータ格納時では、”未読”となっている。
【００２８】
自局宛メッセージ制御手段３１によるメッセージ記憶手段３９への着信文字メッセージの記憶及び不在着信メッセージ制御手段３８によるメッセージ記憶テーブル４１への着信文字メッセージの記憶と並行して、無線機１１は、該着信文字メッセージについての自機の処理状況を他機へ通知する。この通知は、グループ送信又は一斉送信を利用して行われる。例えば、図２の各無線機のユーザー表に従って説明すると、月曜日に、リーダーＡが従業員Ａ宛に文字メッセージを送ったとする。従業員Ａは、２番の無線機１１だけでなく、１番、３番及び４番の無線機１１のユーザーＩＤテーブル３４にも登録されているので、２番の無線機１１では、該従業員Ａ宛の文字メッセージは、自局宛メッセージ制御手段３１によりメッセージ記憶手段３９に登録されて、従業員Ａに直ちに読まれることになるが、１番、３番及び４番の無線機１１では、不在者宛メッセージとして不在着信メッセージ制御手段３８によりメッセージ記憶テーブル４１に書き込まれる。したがって、１番、３番及び４番の無線機１１は、２番の無線機１１からの不在者宛メッセージではなく届き済み文字メッセージとして処理した旨の通知を受信して、メッセージ記憶テーブル４１へ未書き込みの場合には、の該文字メッセージの書き込みを中止し、また、書き込んだ後の場合には、メッセージ記憶テーブル４１における該文字メッセージを消去する。
【００２９】
図５は文字メッセージの処理状況を連絡する信号のデータ構造図である。不在着信メッセージ制御手段３８によるメッセージ記憶テーブル４１への着信文字メッセージの記憶が行われた場合の通知データでは、図５の１番のフィールドは、未読のステータスが書き込まれる。また、自局宛メッセージ制御手段３１によるメッセージ記憶手段３９への着信文字メッセージの記憶が行われた場合の通知データでは、図５の１番のフィールドは、既読のステータスが書き込まれる。図５のデータ構造の信号は、後述の図８のＳ６１においても使用する。
【００３０】
図３に戻り、メッセージ記憶切り替え手段４０は、無線機１１のユーザーが替わると、ユーザーＩＤ切り替え手段３３から替わった後のユーザーのＩＤを通知される。メッセージ記憶切り替え手段４０は、替わった後のユーザーＩＤを宛先とする、すなわち図４の２番のフィールドのＩＤが替わった後のユーザーＩＤに一致する不在者宛メッセージがメッセージ記憶テーブル４１にあれば、それらすべてをメッセージ記憶手段３９へ転送する。転送データは、図４の構造のままで、メッセージ記憶手段３９に記憶することができる。この場合、メッセージ記憶手段３９における該転送データの１番のステータスは、メッセージ記憶手段３９への転送直後では、”未読”のままになっている。
【００３１】
なお、メッセージ記憶テーブル４１にあるデータは、無線機１１のユーザーからのアクセスに対しブロック状態になっている。これに対し、メッセージ記憶手段３９のデータは、無線機１１の認証済みの現在のユーザーがアクセス可能になっている。
【００３２】
図６は無線機１１が文字メッセージを受信した時に実行する受信処理方法のフローチャートである。図６の処理は、自局宛メッセージ制御手段３１及び不在着信メッセージ制御手段３８の作動に対応している。
【００３３】
Ｓ４９では、文字メッセージを受信したか否かを判定し、判定が否であれば、該受信処理方法を終了し、正であれば、Ｓ５０へ進む。Ｓ５０では、受信した文字メッセージのあて先のＩＤと無線機１１の現在のユーザーのＩＤとが一致するか否かを判定する。Ｓ５０の判定が正であれば、Ｓ５１へ進み、否であれば、Ｓ５２へ進む。
【００３４】
Ｓ５１では、該文字メッセージをメッセージ記憶手段３９に記憶し、該受信処理方法を終了する。Ｓ５２では、受信した文字メッセージのあて先のＩＤがユーザーＩＤテーブル３４に含まれているか否かを判定し、判定が正であれば、Ｓ５３へ進み、否であれば、該受信処理方法を終了する。Ｓ５２の判定が正であるとは、受信した文字メッセージのあて先が無線機１１の現在のユーザーではないものの、該無線機１１の共用ユーザーであることを意味する。また、Ｓ５２の判定が否である場合、該文字メッセージのデータは破棄される。
【００３５】
Ｓ５３では、該文字メッセージをメッセージ記憶テーブル４１へ記憶する。Ｓ５４では、記憶した旨を該文字メッセージの送信元の無線機へ通知する。前述したように、この通知には、図５のデータ構造の信号が利用される。その場合、データ構造の１番のフィールドには不在着信のステータスが書き込まれている。ステータスが不在着信となっている信号の送信先は、該文字メッセージの送信元の無線機だけで足りる。送信元の無線機は、自機が送信した文字メッセージが不在着信となった旨を通知されると、該
文字メッセージをメッセージ記憶テーブル４１に記憶し、自機のユーザーが該文字メッセージの宛先になった場合に、該ユーザーに提示できるようにする。
【００３６】
図７は無線機１１のユーザーが文字メッセージの表示を指示した時に実行する表示処理方法のフローチャートである。Ｓ５９では、ユーザーが内容を読みたい文字メッセージを選択する。具体的には、メッセージ記憶手段３９に格納されている文字メッセージのリストが表示手段２６に表示され、そのリストから１つの文字メッセージをユーザーが選択するようになっている。
【００３７】
Ｓ６０では、ユーザーが選択した文字メッセージが不在着信メッセージに該当するものか否かを判定する。不在着信メッセージとは、該メッセージの宛先が、無線機１１の共用ユーザーにはなっているものの、現在のユーザーではない期間に、無線機１１に着信したメッセージのことである。Ｓ６０の判定が正であれば、Ｓ６１へ進み、否であれば、Ｓ６３へ進む。
【００３８】
Ｓ６１では、該文字メッセージが既読になったことを他機へ通知する。この通知は、図５のデータ構造の信号を用いる。この場合、１番のフィールドは既読のステータスを書き込まれる。Ｓ６２では、自機のメッセージ記憶手段３９における該文字メッセージのステータスを”既読”に変更する。該文字メッセージは、メッセージ記憶切り替え手段４０の作動に関連して説明したように、現在のユーザーが替わって、替わった後のユーザーを宛先とする不在者宛メッセージがメッセージ記憶テーブル４１にあると、メッセージ記憶切り替え手段４０は、該不在者宛メッセージを図４のデータ構造を維持して、音声メッセージ記憶手段８２へ移動させる。したがって、Ｓ６２の処理は、具体的には、メッセージ記憶手段３９内の該当文字メッセージについて、図４のデータ構造の１番のフィールドのステータスを”未読”から”既読”へ書き換えることにより、行われる。Ｓ６３では、該文字メッセージの内容が表示手段２６に表示される。
【００３９】
図８は無線機１１が他の無線機１１から既読信号を受信した時に実行される既読信号受信処理方法のフローチャートである。該既読信号は、図７のＳ６１の通知に係る信号である。Ｓ６８では、既読信号を受信したか否かを判定し、判定が正であれば、Ｓ６９へ進み、否であれば、該既読信号受信処理方法を終了する。
【００４０】
Ｓ６９では、既読信号に該当する不在着信メッセージが自機のメッセージ記憶テーブル４１に格納されているか否かを判定する。既読信号は、図５のデータ構造となっているので、また、メッセージ記憶テーブル４１に格納されている不在着信メッセージは図４のデータ構造になっているので、前者（図５）の３番と後者（図４）の４番のメッセージ番号が一致するか否かの判定に基づき、Ｓ６９の判定を行うことができる。
【００４１】
Ｓ６９の判定が正であれば、Ｓ７０へ進み、否であれば、該既読信号受信処理方法を終了する。Ｓ７０では、該当する不在着信メッセージを削除する。
【００４２】
図９は別の無線機８０の構成図である。無線機８０の素子において、無線機１１（図３）の素子と対応するものについては、無線機１１の素子の符号と同一の符号で指示して、その説明は省略する。無線機１１との相違点についてのみ説明する。
【００４３】
無線機１１は、文字メッセージの着信についての不在者処理を実行するものであったが、無線機８０は音声メッセージについての不在者処理に対応したものとなっている。もちろん、無線機１１が無線機８０の機能を併せ持つようにすることもできる。
【００４４】
無線機８０は、無線通信システム１０のメッセージ記憶手段３９、メッセージ記憶切り替え手段４０及びメッセージ記憶テーブル４１の代わりに、音声メッセージ記憶手段８２、音声メッセージ切り替え手段８３及び音声メッセージ記憶テーブル８４を装備している。無線機８０では、自局宛メッセージ制御手段３１、不在着信メッセージ制御手段３８、音声メッセージ記憶手段８２、音声メッセージ切り替え手段８３及び音声メッセージ記憶テーブル８４における処理対象が、無線通信システム１０の自局宛メッセージ制御手段３１、不在着信メッセージ制御手段３８、メッセージ記憶手段３９、メッセージ記憶切り替え手段４０及びメッセージ記憶テーブル４１における文字メッセージの代わりに、音声メッセージに変更されているだけである。
【００４５】
図１０は無線機１００のブロック図である。無線機１００の具体例は前述の無線機１１，８０である。無線機１００は、移動自在や携帯自在でなくてもよい。無線機１００は、共用ユーザー情報記憶媒体１０１、認識手段１０２、着信処理手段１０３及び知得処理手段１０４を備えている。無線機１００は、好ましくは、連絡手段１０６及び不在者宛メッセージ削除手段１０７を備えることができる。
【００４６】
共用ユーザー情報記憶媒体１０１は、自機（無線機１００）を共用する複数のユーザーを共用ユーザーとして記憶する。認識手段１０２は、自機の現在のユーザーを認識する。着信処理手段１０３は、着信メッセージの宛先が自機の共用ユーザーに含まれるが、自機の現在のユーザーではない場合には該着信メッセージを不在者宛メッセージとして不在者宛メッセージ記憶媒体１０５に記憶する。知得処理手段１０４は、自機の現在のユーザーが不在者宛メッセージの宛先に替わると、該ユーザーが該不在者宛メッセージの内容を知得できるようにする処理を実施する。
【００４７】
図１１は別の無線機１１０のブロック図である。無線機１００と無線機１１０との主要な相違は、着信処理手段１０３と送信処理手段１１３との相違である。無線機１１０の具体例は前述の無線機１１，８０である。無線機１１０は、移動自在や携帯自在でなくてもよい。無線機１１０は、共用ユーザー情報記憶媒体１１１、認識手段１１２、送信処理手段１１３及び知得処理手段１１４を備えている。無線機１１０は、好ましくは、連絡手段１１６及び不在者宛メッセージ削除手段１１７を備えることができる。
【００４８】
共用ユーザー情報記憶媒体１１１は、自機（無線機１１０）を共用する複数のユーザーを共用ユーザーとして記憶する。認識手段１１２は、自機の現在のユーザーを認識する。送信処理手段１１３は、送信メッセージの宛先が自機の共用ユーザーに含まれるが、自機の現在のユーザーではない場合には、該送信メッセージを不在者宛メッセージとして不在者宛メッセージ記憶媒体１１５に記憶する。知得処理手段１１４は、自機の現在のユーザーが不在者宛メッセージの宛先に替わると該ユーザーが該不在者宛メッセージの内容を知得できるようにする処理を実施する。
【００４９】
共用ユーザー情報記憶媒体１０１、不在者宛メッセージ記憶媒体１０５、共用ユーザー情報記憶媒体１１１及び不在者宛メッセージ記憶媒体１１５は、典型的には、不揮発性メモリである。共用ユーザー情報記憶媒体１０１及び不在者宛メッセージ記憶媒体１０５は、同一メモリの異なるエリアに確保されてもよい。同様に、共用ユーザー情報記憶媒体１１１及び不在者宛メッセージ記憶媒体１１５は、同一メモリの異なるエリアに確保されてもよい。メッセージは、文字メッセージ及び／又は音声メッセージである。
【００５０】
無線機１００，１１０は、好ましくは、メッセージの個別／グループ／一斉の送受に対応したものとなっている。その場合、着信処理手段１０３における着信メッセージや、送信処理手段１１３における送信メッセージは、個別、グループ、及び一斉のどれであってもよいとする。無線機１００，１１０は携帯電話機であってもよいとする。
【００５１】
不在者宛メッセージは、典型的には、その宛先となっていない共用ユーザーがアクセスできないように、不在者宛メッセージ記憶媒体１０５に記憶される。具体的には、無線通信システム１０のメッセージ記憶テーブル４１のように、現在のユーザーがアクセスできない第１の記憶部を確保しておき、現在のユーザーの交替により、現在のユーザーが宛先となった不在者宛メッセージは、不在着信メッセージ制御手段３８が行うように、現在のユーザーからアクセス可能な第２の記憶部へ第１の記憶部から転送するように、する。
【００５２】
こうして、無線機１００，１１０における共用ユーザーは、その不在中に無線機１００，１１０に着信したメッセージの内容を、無線機１００，１１０の現在のユーザーになった時に、知得することができる。
【００５３】
連絡手段１０６，１１６は、知得処理手段１０４，１１４が処理したメッセージについて処理済みの旨を他機へ連絡する。また、不在者宛メッセージ削除手段１０７，１１７は、他機よりメッセージの処理済みの旨の連絡を受けると、該当の不在者宛メッセージを不在者宛メッセージ記憶媒体１０５から削除する。
【００５４】
こうして、同一のユーザーが、後日、別の共用無線機のユーザーとなったときに、以前に別の共用無線機で一度読んだり、聞いたりしたメッセージを再度、読んだり、聞いたりすることを防止することができる。
【００５５】
図１２及び図１３はそれぞれ無線機制御方法１３０，１４０のフローチャートである。無線機制御方法１３０，１４０はそれぞれ無線機１００，１１０に適用される。
【００５６】
Ｓ１３１では、自機の現在のユーザーを認識する。Ｓ１３２では、着信メッセージの宛先が自機の共用ユーザーに含まれるが、自機の現在のユーザーではない場合には該着信メッセージを不在者宛メッセージとして不在者宛メッセージ記憶媒体１０５に記憶する。Ｓ１３３では、自機の現在のユーザーが不在者宛メッセージの宛先に替わると該ユーザーが該不在者宛メッセージの内容を知得できるようにする処理を実施する。
【００５７】
Ｓ１４１では、自機の現在のユーザーを認識する。Ｓ１４２では、送信メッセージの宛先が自機の共用ユーザーに含まれるが、自機の現在のユーザーではない場合には、該送信メッセージを不在者宛メッセージとして不在者宛メッセージ記憶媒体１１５に記憶する。Ｓ１４３では、自機の現在のユーザーが不在者宛メッセージの宛先に替わると該ユーザーが該不在者宛メッセージの内容を知得できるようにする処理を実施する。
【００５８】
Ｓ１３１〜Ｓ１３３の処理は、無線機１００（図１０）の認識手段１０２〜知得処理手段１０４の機能にそれぞれ対応している。したがって、認識手段１０２〜知得処理手段１０４の機能について述べた具体的態様はＳ１３１〜Ｓ１３３の処理についての具体的態様としても適用可能である。Ｓ１４１〜Ｓ１４３の処理は、無線機１１０（図１１）の認識手段１１２〜知得処理手段１１４の機能にそれぞれ対応している。したがって、認識手段１１２〜知得処理手段１１４の機能について述べた具体的態様はＳ１４１〜Ｓ１４３の処理についての具体的態様としても適用可能である。
【００５９】
無線機制御方法１３０，１４０では、また、無線機１００，１１０の連絡手段１０６、不在者宛メッセージ削除手段１０７、連絡手段１１６及び不在者宛メッセージ削除手段１１７の機能に対応する処理を実行するステップを適宜、追加可能である。連絡手段１０６，１１６に対応するステップは、無線機制御方法１３０，１４０において、Ｓ１３３，Ｓ１４３の次に配置される。不在者宛メッセージ削除手段１０７，１１７に対応するステップの配置は他のステップとは独立であり、該ステップは他機より不在者宛メッセージの知得処理済みの旨の連絡を受けた時に実行される。
【００６０】
本明細書は様々な発明を開示している。それら発明には、本明細書における発明の最良の形態等において、独立の作用、効果を奏する１つ又は複数の要素を抽出したものや、１つ又は複数の要素を自明の範囲で変更したものや、１つ又は複数の要素の組合せを自明の範囲で発明の形態間で入れ換えたものを含む。
【図面の簡単な説明】
【００６１】
【図１】無線通信システムの構成図である。
【図２】曜日ごとの各無線機のユーザーの使用結果を例示す図である。
【図３】無線機の構成図である。
【図４】メッセージ記憶テーブルにおける各文字メッセージのデータ構造を示す図である。
【図５】文字メッセージの処理状況を連絡する信号のデータ構造図である。
【図６】無線機が文字メッセージを受信した時に実行する受信処理方法のフローチャートである。
【００６２】
【図７】無線機のユーザーが文字メッセージの表示を指示した時に実行する表示処理方法のフローチャートである。
【図８】無線機が他の無線機から既読信号を受信した時に実行される既読信号受信処理方法のフローチャートである。
【図９】別の無線機の構成図である。
【図１０】無線機のブロック図である。
【図１１】別の無線機のブロック図である。
【図１２】無線機制御方法のフローチャートである。
【図１３】別の無線機制御方法のフローチャートである。
【符号の説明】
【００６３】
１００：無線機、１０１：共用ユーザー情報記憶媒体、１０２：認識手段、１０３：着信処理手段、１０４：知得処理手段、１０５：不在者宛メッセージ記憶媒体、１０６：連絡手段、１０７：不在者宛メッセージ削除手段、１１０：無線機、１１１：共用ユーザー情報記憶媒体、１１２：認識手段、１１３：送信処理手段、１１４：知得処理手段、１１５：不在者宛メッセージ記憶媒体、１１６：連絡手段、１１７：不在者宛メッセージ削除手段、１３０：無線機制御方法、１４０：無線機制御方法。
【図１】
2008277942.tif 000003
【図２】
2008277942.tif 000004
【図３】
2008277942.tif 000005
【図４】
2008277942.tif 000006
【図５】
2008277942.tif 000007
【図６】
2008277942.tif 000008
【図７】
2008277942.tif 000009
【図８】
2008277942.tif 000010
【図９】
2008277942.tif 000011
【図１０】
2008277942.tif 000012
【図１１】
2008277942.tif 000013
【図１２】
2008277942.tif 000014
【図１３】
2008277942.tif 000015